(57)【要約】【課題】  液体中における汚染物質等の不純物の濃度を計測するにあたり、被測定液体のサンプリング、サンプリングされた被測定液体から伝導度センサを用いての電気伝導率の測定及び被測定液体の濃度検出、及び電気伝導率測定後の伝導度センサの洗浄にいたる液体濃度計測の一連の動作を、高い応答性及び計測精度を保持しかつ少ない作業工数で以って行ない得る液体濃度計測装置を提供する。【解決手段】  被測定液体の電気伝導率を測定することにより、該被測定液体の濃度を検出する液体濃度計測装置において、前記容器内にサンプリングされた被測定液体の電気伝導率を測定する伝導率センサを移動可能に支持し、電気伝導率の測定時には該伝導率センサを前記容器内に浸漬せしめて電気伝導率を測定可能とし、該電気伝導率の非測定時には前記伝導率センサを洗浄手段に移動せしめて該洗浄手段により該伝導率センサを洗浄可能としたセンサ支持・移動装置とをそなえたことを特徴とする。【選択図】    図１
2006234563.tif 000002
【特許請求の範囲】
【請求項１】
液体供給手段からの被測定液体をサンプリング用の容器に採取し、該容器内に採取された前記被測定液体の電気伝導率を測定することにより、該被測定液体の濃度を検出する液体濃度計測装置において、前記容器内にサンプリングされた前記被測定液体の電気伝導率を測定する伝導率センサと、該伝導率センサを移動可能に支持するとともに、前記電気伝導率の測定時には該伝導率センサを前記容器内に浸漬せしめて電気伝導率を測定可能とし、該電気伝導率の非測定時には前記伝導率センサを洗浄手段に移動せしめて該洗浄手段により該伝導率センサを洗浄可能としたセンサ支持・移動装置とをそなえて、前記容器内に前記被測定液体をサンプリングして前記伝導率センサで該被測定液体の電気伝導率を測定し、該電気伝導率の非測定時には前記センサ支持・移動装置によって該伝導率センサを洗浄手段に移動せしめて該洗浄手段により該伝導率センサを洗浄するように構成したことを特徴とする液体濃度計測装置。
【請求項２】
前記伝導率センサは前記センサ支持・移動装置に上下動可能に取付けられたセンサ支持具に前記容器内に出没可能に支持されるとともに、前記洗浄手段を純水が収容された純水槽で構成し、前記電気伝導率の測定時には前記センサ支持・移動装置によって前記センサ支持具を下降させ該伝導率センサを前記容器内に浸漬せしめて電気伝導率を測定可能とし、前記電気伝導率の非測定時には前記センサ支持・移動装置によって前記センサ支持具及び伝導率センサを移動させて該伝導率センサを前記純水槽内にて洗浄可能に構成したことを特徴とする請求項１記載の液体濃度計測装置。
【請求項３】
前記容器を、回転駆動される回転部材上に円周方向に沿って複数個連設され、前記液体供給手段からの該被測定液体を前記回転部材の回転に従い順次受け入れる回転容器で構成し、前記回転容器を前記回転部材により回転させ前記被測定液体を該回転容器内にサンプリングして、前記伝導率センサで該被測定液体の電気伝導率を測定可能に構成したことを特徴とする請求項１記載の液体濃度計測装置。
【請求項４】
前記容器を、回転駆動される回転部材上に該回転部材の円周方向に沿って複数個環状に連設された容器群を前記回転部材の半径方向に複数層設けてなり、前記液体供給手段からの該被測定液体を前記回転部材の回転に従い順次受け入れる回転容器で構成し、前記液体供給手段を前記回転部材の半径方向に移動せしめることにより前記複数層の回転容器の個々に前記被測定液体を供給可能に構成し、さらに前記複数層の回転容器のそれぞれに対応して前記伝導率センサを設けて前記電気伝導率の測定時には該伝導率センサを前記容器内に浸漬せしめて電気伝導率を測定可能とするとともに該電気伝導率の非測定時には前記伝導率センサを洗浄手段に移動せしめて該洗浄手段により該伝導率センサを洗浄可能に構成したことを特徴とする請求項１記載の液体濃度計測装置。
【請求項５】
前記容器を、回転駆動される回転部材上に円周方向に沿って複数個連設され、前記液体供給手段からの該被測定液体を前記回転部材の回転に従い順次受け入れる回転容器で構成して、該回転容器を前記回転部材が連結された回転軸の軸線に沿って複数段配設し、前記液体供給手段を前記複数段の回転容器毎に被測定液体を供給可能に該回転容器と同数設け、前記各液体供給手段には被測定液体の前記回転容器への供給、遮断を切り換える切換弁を設け、さらに前記複数段の回転容器のそれぞれに対応して前記伝導率センサを設けて電気伝導率の測定時には該伝導率センサを前記回転容器内に浸漬せしめて電気伝導率を測定可能とするとともに電気伝導率の非測定時には前記伝導率センサを洗浄手段に移動せしめて該洗浄手段により該伝導率センサを洗浄可能に構成したことを特徴とする請求項１記載の液体濃度計測装置。
【請求項６】
前記容器内に純水を供給可能な純水供給ラインを設けるとともに、該純水供給ラインを開閉して前記容器内における前記被測定液体の濃度が一定濃度を超えたとき該純水供給ラインを開いて該容器内に純水を供給せしめる純水供給弁をそなえたことを特徴とする請求項１記載の液体濃度計測装置。
【発明の詳細な説明】
【技術分野】
【０００１】
本発明は、工場排水や河川水の水質調査等に適用される非定常液体の濃度計測装置に係り、液体供給手段からの被測定液体（非定常液体）をサンプリング用の容器に採取し、該容器内に採取された前記被測定液体の電気伝導率を測定することにより、該被測定液体の濃度を検出する液体濃度計測装置に関する。
【背景技術】
【０００２】
工場排水や河川水の水質調査においては、通常、水（被測定液体）が通流する水路に電気伝導率測定用の伝導度センサを設けて、該伝導度センサ及び該伝導度センサに接続された伝導度計によって水の電気伝導率を測定し、水中における汚染物質等の不純物の濃度を計測している。
【０００３】
しかしながら、前記のような液体濃度計測手段では、伝導度センサ及び伝導度計からなる電気伝導率測定手段の応答性が数秒単位であり、１秒以下の高応答性を必要とする非定常液体の濃度計測には適用できない。
【０００４】
そこで、前記のような１秒以下の高応答性をそなえた液体濃度計測装置の一つとして、特許文献１（特開平８−４３２７４号公報）の技術が提供されている。
【０００５】
かかる技術においては、液体供給手段からの被測定液体を受け入れる中継容器及び該中継容器に接続される半径方向の供給ダクトを回転装置によって回転せしめ、該供給ダクトの下方に前記回転装置と同心円状に円周方向に沿って複数個連設されたサンプル瓶に、前記供給ダクトからの被測定液体を順次供給して、複数個のサンプル瓶に被測定液体を採取するように構成されている。
【０００６】
【特許文献１】特開平８−４３２７４号公報
【発明の開示】
【発明が解決しようとする課題】
【０００７】
しかしながら、前記特許文献１（特開平８−４３２７４号公報）の技術には、次のような解決すべき課題を抱えている。
即ち、前記特許文献１の技術に係る液体のサンプリング装置にあっては、回転装置の回転数を上げかつ回転装置におけるサンプル瓶の個数を多くすれば、このサンプリング装置を用いることによって１秒以下の高応答性をそなえた液体濃度計測装置を得ることは可能であるが、かかる特許文献１の技術は、被測定液体を効率的にサンプリングする手段について示されているにとどまり、被測定液体をサンプリングし、順次サンプリングされた被測定液体から連続的に伝導度センサを用いて電気伝導率を測定して該被測定液体内の不純物濃度を検出し、前記電気伝導率測定後の伝導度センサを洗浄して次のサンプリングにそなえる、という一連の液体濃度計測を効率的に行なう手段については全く示されていない。
【０００８】
本発明はかかる従来技術の課題に鑑み、液体中における汚染物質等の不純物の濃度を計測するにあたり、被測定液体のサンプリング、サンプリングされた被測定液体から伝導度センサを用いての電気伝導率の測定及び被測定液体の濃度検出、及び電気伝導率測定後の伝導度センサの洗浄にいたる液体濃度計測の一連の動作を、高い応答性及び計測精度を保持しかつ少ない作業工数で以って行ない得る液体濃度計測装置を提供することを目的とする。
【課題を解決するための手段】
【０００９】
本発明はかかる目的を達成するもので、液体供給手段からの被測定液体をサンプリング用の容器に採取し、該容器内に採取された前記被測定液体の電気伝導率を測定することにより、該被測定液体の濃度を検出する液体濃度計測装置において、前記容器内にサンプリングされた前記被測定液体の電気伝導率を測定する伝導率センサと、該伝導率センサを移動可能に支持するとともに、前記電気伝導率の測定時には該伝導率センサを前記容器内に浸漬せしめて電気伝導率を測定可能とし、該電気伝導率の非測定時には前記伝導率センサを洗浄手段に移動せしめて該洗浄手段により該伝導率センサを洗浄可能としたセンサ支持・移動装置とをそなえて、前記容器内に被測定液体をサンプリングして前記伝導率センサで被測定液体の電気伝導率を測定し、電気伝導率の非測定時には前記センサ支持・移動装置によって伝導率センサを洗浄手段に移動せしめて該洗浄手段により該伝導率センサを洗浄するように構成したことを特徴とする。
【００１０】
かかる発明において、具体的には次のように構成するのが好ましい。
【００１１】
（１）前記伝導率センサは前記センサ支持・移動装置に上下動可能に取付けられたセンサ支持具に前記容器内に出没可能に支持されるとともに、前記洗浄手段を純水が収容された純水槽で構成し、前記電気伝導率の測定時には前記センサ支持・移動装置によって前記センサ支持具を下降させ該伝導率センサを前記容器内に浸漬せしめて電気伝導率を測定可能とし、電気伝導率の非測定時には前記センサ支持・移動装置によって前記センサ支持具及び伝導率センサを移動させて該伝導率センサを前記純水槽内にて洗浄可能に構成する。
【００１２】
（２）前記容器を、回転駆動される回転部材上に円周方向に沿って複数個連設され、前記液体供給手段からの該被測定液体を前記回転部材の回転に従い順次受け入れる回転容器で構成し、前記回転容器を前記回転部材により回転させ前記被測定液体を該回転容器内にサンプリングして、前記伝導率センサで被測定液体の電気伝導率を測定可能に構成する。
【００１３】
かかる発明によれば、回転容器を回転駆動される回転部材上に円周方向に沿って複数個連設して前記回転部材により回転させ、液体供給手段からの被測定液体を該回転容器内に順次サンプリングし、センサ支持・移動装置に上下動可能に取付けられたセンサ支持具に支持された伝導率センサを該センサ支持・移動装置によって下降させ、前記回転容器内にサンプリングされた被測定液体内に浸漬せしめて該被測定液体の電気伝導率を測定し、この測定データにより該サンプリング液体（被測定液体）の濃度を検出する。
そして、前記被測定液体内への浸漬によって被測定液体が付着した伝導率センサは、前記センサ支持・移動装置によりセンサ支持具を介して洗浄手段に移動せしめられ、好ましくは純水が収容された純水槽からなる洗浄手段において洗浄せめられ、前記センサ支持・移動装置によって、次のサンプリング被測定液体の方へ戻され、次の工程に移る。
【００１４】
従って、かかる発明によれば、回転駆動される回転部材上に円周方向に沿って複数個連設した回転容器を回転させながら、被測定液体を該回転容器内に順次サンプリングするので、該回転容器の数を増加し、回転部材及び回転容器の回転数を増加しあるいは１回転あたりの回転容器数を増加することによりサンプリング時間を短縮でき、応答性が向上する。
【００１５】
さらに前記被測定液体のサンプリング後、回転容器内にサンプリングされた被測定液体の電気伝導率を測定し、電気伝導率測定後の伝導率センサをセンサ支持・移動装置によって洗浄手段に移動せしめ、該洗浄手段により伝導率センサを洗浄して被測定液体を洗い落し、洗浄された前記伝導率センサをセンサ支持・移動装置によって、次のサンプリング被測定液体の方へ移動せしめるという、液体濃度計測の一連の動作を複数個の回転容器を回転させなが被測定液体を該回転容器内に順次サンプリングする作業と、サンプリングされた被測定液体の電気伝導率を測定する作業と、センサ支持・移動装置によって被測定液体の電気伝導率測定後の伝導率センサを洗浄手段側と回転容器側との間を往復移動させる作業と、伝導率センサを洗浄手段により洗浄する作業とを連続的に行なうことができるので、１回目の被測定液体サンプリングから次のサンプリングまでの計測サイクル時間を短縮できて、計測精度を高く保持しつつ、非定常液体の濃度計測に好適な高い応答性を保持できる。また、前記のように液体濃度計測の一連の動作を連続的に行なうことができるので、少ない作業工数で液体濃度計測を行なうことができる。
【００１６】
またかかる発明において好ましくは、前記容器を、回転駆動される回転部材上に該回転部材の円周方向に沿って複数個環状に連設された容器群を前記回転部材の半径方向に複数層設けてなり、前記液体供給手段からの該被測定液体を前記回転部材の回転に従い順次受け入れる回転容器で構成し、前記液体供給手段を前記回転部材の半径方向に移動せしめることにより前記複数層の回転容器の個々に前記被測定液体を供給可能に構成し、さらに前記複数層の回転容器のそれぞれに対応して前記伝導率センサを設けて前記電気伝導率の測定時には該伝導率センサを前記容器内に浸漬せしめて電気伝導率を測定可能とするとともに、該電気伝導率の非測定時には前記伝導率センサを洗浄手段に移動せしめて該洗浄手段により該伝導率センサを洗浄可能に構成する。
【００１７】
このように構成すれば、回転部材の円周方向に沿って複数個環状に連設された容器群を半径方向に複数層設けた回転容器に、液体供給手段を該回転容器の半径方向に移動させながら順次被測定液体をサンプリングするので、サンプリング間隔を目標間隔に保持した状態でサンプリング時間を長く採ることができて、液体濃度の計測精度を上げることができる。
【００１８】
またかかる発明において好ましくは、前記容器を、回転駆動される回転部材上に円周方向に沿って複数個連設され、前記液体供給手段からの該被測定液体を前記回転部材の回転に従い順次受け入れる回転容器で構成して、該回転容器を前記回転部材が連結された回転軸の軸線に沿って複数段配設し、前記液体供給手段を前記複数段の回転容器毎に前記被測定液体を供給可能に該回転容器と同数設け、前記各液体供給手段には前記被測定液体の前記回転容器への供給、遮断を切り換える切換弁を設け、さらに前記複数段の回転容器のそれぞれに対応して前記伝導率センサを設けて前記電気伝導率の測定時には該伝導率センサを前記回転容器内に浸漬せしめて電気伝導率を測定可能とするとともに、該電気伝導率の非測定時には前記伝導率センサを洗浄手段に移動せしめて該洗浄手段により該伝導率センサを洗浄可能に構成する。
【００１９】
このように構成すれば、回転容器を回転駆動される回転軸の軸線に沿って複数段配設するとともに、前記液体供給手段を複数段の回転容器毎に被測定液体を供給可能に該回転容器と同数設けて、切換弁により前記被測定液体の前記回転容器への供給、遮断を切り換えて、各段の回転容器に任意のサンプリングタイミングで被測定液体を供給できることとなるので、サンプリング間隔を目標間隔に保持した状態でサンプリング時間を長く採ることができて、液体濃度の計測精度を上げることができる。
【００２０】
またかかる発明において好ましくは、前記容器内に純水を供給可能な純水供給ラインを設けるとともに、該純水供給ラインを開閉して前記容器内における前記被測定液体の濃度が一定濃度を超えたとき、該純水供給ラインを開いて該容器内に純水を供給せしめる純水供給弁をそなえる。
【００２１】
このように構成すれば、容器内における被測定液体の濃度が一定濃度を超えたときに純水供給弁が自動的に開弁して、純水供給ラインから前記容器内に純水を供給できるので、該容器内の濃度を過濃とすることなく、所要の濃度に保持できるとともに、かかる濃度保持のための作業工数を低減できる。
【発明の効果】
【００２２】
本発明によれば、回転駆動される回転部材上に円周方向に沿って複数個連設した回転容器を回転させながら、被測定液体を該回転容器内に順次サンプリングするので、該回転容器の数を増加し、回転部材及び回転容器の回転数を増加しあるいは１回転あたりの回転容器数を増加することによりサンプリング時間を短縮でき、応答性が向上する。
【００２３】
さらに液体濃度計測の一連の動作である、複数個の回転容器を回転させながら被測定液体を該回転容器内に順次サンプリングする作業と、サンプリングされた被測定液体の電気伝導率を測定する作業と、センサ支持・移動装置によって被測定液体の電気伝導率測定後の伝導率センサを洗浄手段側と回転容器側との間を往復移動させる作業と、伝導率センサを洗浄手段により洗浄する作業とを連続的に行なうことができるので、１回目の被測定液体サンプリングから次のサンプリングまでの計測サイクル時間を短縮できて、計測精度を高く保持しつつ、非定常液体の濃度計測に好適な高い応答性を保持できる。また、前記のように液体濃度計測の一連の動作を連続的に行なうことができるので、少ない作業工数で液体濃度計測を行なうことができる。
【００２４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００２５】
図１は本発明の第１実施例に係る非定常液体の濃度計測装置の全体構成を示す概略側面図である。図２は前記第１実施例におけるサンプリング部を示し、（Ａ）は図１のＺ部詳細図、（Ｂ）は（Ａ）におけるＹ矢視図である。
図１〜図２において、１は環状に形成された回転容器で、図２（Ｂ）のように円周方向に沿って複数個の液体室１ａが区画形成されている。２は図示しない電動モータを内蔵した回転装置、３は該回転装置２の上部に連結された回転テーブルで、該回転テーブル３上に前記回転容器１が取付けられ、前記回転装置２の回転（Ｎは回転方向を示す）により前記回転テーブル３が回転中心２ａ廻りに回転し、これに従い前記回転容器１が回転駆動されるようになっている。
【００２６】
４は液体供給手段を構成する液体注入口で、前記回転容器１の上方に開口して排水等の被測定液体を前記回転容器１の各液体室１ａに順次注入するようになっている。
６は伝導率センサ、５は該伝導率センサ６に回線６ａを介して接続される伝導率計で、前記伝導率センサ６が前記液体室１ａ内の被測定液体中に浸漬して該被測定液体の電気伝導度を測定し、回線６ａを介して伝導率計５に送り、該伝導率計５で前記被測定液体の濃度を検出するための電気伝導率を検出するようになっている。
【００２７】
９はセンサ支持具で、下面に前記伝導率センサ６が前記回転容器１の各液体室１ａに出没可能な位置に取り付けられている。
１０はセンサ支持・移動装置で、前記センサ支持具９をこれの軸部９ａを介して上下動可能にかつ回動可能に支持するとともに、さらに該センサ支持具９を前記回転容器１の上方位置と後述する洗浄槽７の位置との間を移動せしめるように構成されている。
７は純水８が収容された洗浄槽７で、前記センサ支持具９に支持された伝導率センサ６が浸漬可能な位置及び大きさで以って構成され、前記センサ支持・移動装置１０によって搬送されてきた伝導率センサ６が該洗浄槽７内の純水８中に浸漬可能となっている。
【００２８】
かかる第１実施例において、非定常液体の濃度計測を行なうにあたっては、前記回転装置２によって回転テーブル３を介して回転容器１を回転駆動し、該回転容器１を回転軸心２ａ廻りに回転せしめながら、前記回転容器１の上方に開口している液体注入口４から排水等の被測定液体を該回転容器１の各液体室１ａに順次注入する。
次いで、センサ支持・移動装置１０を駆動してセンサ支持具９及び伝導率センサ６を下降させて、該伝導率センサ６を前記被測定液体が注入された液体室１ａ内に浸漬せしめ、該液体室１ａ内の被測定液体の電気伝導度を測定し、この測定信号を回線６ａを介して伝導率計５に送り、該伝導率計５で前記被測定液体の濃度を検出するための電気伝導率を検出する。
【００２９】
次いで、前記伝導率センサ６での電気伝導度の測定が終了したら、前記センサ支持・移動装置１０を駆動して、前記センサ支持具９及び伝導率センサ６を上昇させて前記液体室１ａ内から引き上げ、該センサ支持具９及び伝導率センサ６を、図１の矢印のように前記洗浄槽７の上方まで移動せしめ、図１の破線のように前記センサ支持具９及び伝導率センサ６を下降させ、該伝導率センサ６を洗浄槽７内の純水８中に浸漬して、該伝導率センサ６に付着している被測定液体を洗い落とす
【００３０】
次いで前記センサ支持・移動装置１０を駆動して、かかる洗浄がなされた伝導率センサ６及びセンサ支持具９を洗浄槽７内から引き上げ、図１の右方に移動させて前記回転容器１の上方位置まで戻し、次の各液体室１ａに該伝導率センサ６を浸漬させて、前記と同様に該各液体室１ａ内の被測定液体の電気伝導度を測定する。
以上の動作を、前記回転装置２によって回転容器１を回転させながら、あるいは前記センサ支持・移動装置１０によって前記センサ支持具９を介して前記伝導率センサ６を回転させながら、繰り返す。
【００３１】
かかる実施例によれば、回転駆動される回転テーブル３上に、液体室１ａが円周方向に沿って複数個連設された回転容器１を回転させながら、被測定液体を該回転容器１の液体室１ａ内に順次サンプリングするので、該液体室１ａの数を増加し、回転容器１の回転数を増加しあるいは１回転あたりの液体室１ａを増加することにより、サンプリング時間を短縮でき、応答性が向上する。
【００３２】
さらに前記被測定液体のサンプリング後、回転容器１の液体室１ａ内にサンプリングされた被測定液体の電気伝導度を伝導率センサ６で測定し、電気伝導度測定後の伝導率センサ６をセンサ支持・移動装置１０によって純水の洗浄槽７側に移動せしめ、該洗浄槽７により伝導率センサ６を洗浄して被測定液体を洗い落し、洗浄後の前記伝導率センサ６を前記センサ支持・移動装置１０によって、次のサンプリング被測定液体が待機している回転容器１側へ移動せしめるという、液体濃度計測の一連の動作を複数個の液体室１ａをそなえた回転容器１を回転させながら被測定液体を該液体室１ａ内に順次サンプリングする作業と、サンプリングされた被測定液体の電気伝導率を測定する作業と、センサ支持・移動装置１０によって被測定液体の電気伝導率測定後の伝導率センサ６を洗浄槽７側と回転容器１側との間を往復移動させる作業と、伝導率センサ６を洗浄槽７内で純水８により洗浄する作業とを連続的に行なうことができるので、１回目の被測定液体サンプリングから次のサンプリングまでの計測サイクル時間を短縮できて、計測精度を高く保持しつつ、非定常液体の濃度計測に好適な高い応答性を保持できる。また、前記のように液体濃度計測の一連の動作を連続的に行なうことができるので、少ない作業工数で液体濃度計測を行なうことができる。
【実施例２】
【００３３】
図３は本発明の第２実施例を示す図１対応図、図４は前記第２実施例における図３のＷ矢視図である。
【００３４】
かかる第２実施例においては、回転駆動（Ｎは回転方向）される回転テーブル３上に該回転容器１（２ａは回転軸心）の円周方向に沿って複数個の液体室１ａが環状に連設された容器群を、前記回転容器１の半径方向に複数層（この例では４層）設け、前記液体注入口（液体供給手段）４からの該被測定液体を前記回転容器１の回転に従い順次受け入れるように構成している。
【００３５】
またかかる第２実施例においては、移動装置１２によって前記液体注入口（液体供給手段）４を前記回転容器１の半径方向に移動せしめるようにして、該液体注入口４を移動させながら、前記複数層の液体室１ａの個々に前記被測定液体を供給可能に構成している。
【００３６】
さらにかかる第２実施例においては、前記半径方向における複数層（この例では４層）の回転容器１のそれぞれに対応して、伝導率計支持アーム１７に支持された前記伝導率センサ６を前記回転容器１の層（この例では４層）と同数層設けて、電気伝導率の測定時には該伝導率センサ６を前記複数層の液体室１ａ内に浸漬せしめて電気伝導率を測定可能とするとともに、該電気伝導率の非測定時には、伝導率計回動装置１５によって回動軸１８を介して前記伝導率計支持アーム１７及び伝導率センサ６を図の破線位置まで回動せしめ、該伝導率センサ６をこれと同数（この例では４個）設けられた洗浄槽７内の純水８中に浸漬して各伝導率センサ６を同時に洗浄するように構成している。
【００３７】
かかる第２実施例によれば、円周方向に沿って複数個環状に連設された液体室１ａからなる容器群を半径方向に複数層設けた回転容器１をそなえ、液体注入口（液体供給手段）４を該回転容器１の半径方向に移動させながら順次被測定液体を回転容器１の液体室１ａにサンプリングするので、サンプリング間隔を目標間隔に保持した状態でサンプリング時間を長く採ることができて、液体濃度の計測精度を上げることができる。
【実施例３】
【００３８】
図５は本発明の第３実施例を示す図１対応図、図６は前記第３実施例における図５のＶ矢視図である。
【００３９】
かかる第３実施例においては、回転駆動（Ｎは回転方向）される回転テーブル３上に、円周方向に沿って流体室１ａが複数個連設された回転容器１を、前記回転テーブル３上にに連結された回転軸２１の軸線に沿って複数段（この例では３段）配設し、前記液体注入口（液体供給手段）４ａ，４ｂ，４ｃを前記複数段の回転容器１毎に被測定液体を供給可能に該回転容器１と同数（この例では３個）設けて、各回転容器１毎に被測定液体を注入可能にし、前記各液体注入口４ａ，４ｂ，４ｃからの被測定液体を前記回転容器１の回転に従い、各段の回転容器１の流体室１ａに順次受け入れ可能としている。
【００４０】
そして、前記各液体注入口４ａ，４ｂ，４ｃには、被測定液体の前記回転容器１の流体室１ａへの供給、遮断を切り換える切換弁２０ａ，２０ｂ，２０ｃを設け、さらに前記複数段の回転容器１のそれぞれに対応して伝導率センサ６ａ，６ｂ，６ｃを設けて、該伝導率センサ６ａ，６ｂ，６ｃによる電気伝導率の測定時には該伝導率センサ６ａ，６ｂ，６ｃを前記回転容器１の流体室１ａ内に浸漬せしめて電気伝導率を測定可能とするとともに、
該電気伝導率の非測定時には、伝導率計回動装置１５によって回動軸１８を介して、前記伝導率センサ６ａ，６ｂ，６ｃをそれぞれ支持する伝導率計支持アーム１７ａ，１７ｂ，１７ｃ及び伝導率センサ６ａ，６ｂ，６ｃを図の破線位置まで回動せしめ、各伝導率センサ６ａ，６ｂ，６ｃをこれと同数（この例では３個）設けられた洗浄槽７ａ，７ｂ，７ｃ内の純水８中に浸漬して、各伝導率センサ６ａ，６ｂ，６ｃを洗浄するように構成している。
【００４１】
この場合、前記切換弁２０ａ，２０ｂ，２０ｃを同時に開いて、３段の液体濃度測定を同時に行なっても、該切換弁２０ａ，２０ｂ，２０ｃを順次開いて液体濃度測定を１段ごとに行なうようにしてもよい。
【００４２】
かかる第２実施例によれば、回転容器１を回転駆動される回転軸２１の軸線に沿って複数段（この例では３段）配設するとともに、前記液体注入口（液体供給手段）４ａ，４ｂ，４ｃを複数段の回転容器１毎に被測定液体を供給可能にして該回転容器１と同数設けて、切換弁２０ａ，２０ｂ，２０ｃにより前記被測定液体の前記回転容器１への供給、遮断を切り換えて、各段の回転容器１に任意のサンプリングタイミングで被測定液体を供給できることとなるので、サンプリング間隔を目標間隔に保持した状態でサンプリング時間を長く採ることができて、液体濃度の計測精度を上げることができる。
【実施例４】
【００４３】
図７は本発明の第４実施例を示す図１対応図である。
【００４４】
かかる第４実施例においては、図１に示される第１実施例に加えて、前記回転容器１の流体室１ａ内に、純水供給源３２からの純水を供給可能な純水供給ライン３１を設けるとともに、該純水供給ライン３１を開閉して前記流体室１ａ内における被測定液体の濃度が一定濃度を超えたとき、該純水供給ライン３１を開いて該流体室１ａ内に純水を供給せしめる純水供給弁３３をそなえる。
【００４５】
その他の構成は図１に示される第１実施例と同様であり、これと同一の部材は同一の符号で示す。
【００４６】
かかる第４実施例によれば、回転容器１の流体室１ａ内における被測定液体の濃度が一定濃度を超えたときに純水供給弁３３が自動的に開弁して、純水供給ライン３１から前記流体室１ａ内に純水を供給できるので、該流体室１ａ内における被測定液体の濃度を過濃とすることなく、所要の濃度に保持できるとともに、かかる濃度保持のための作業工数を低減できる。
【産業上の利用可能性】
【００４７】
本発明によれば、液体中における汚染物質等の不純物の濃度を計測するにあたり、被測定液体のサンプリング、サンプリングされた被測定液体から伝導度センサを用いての電気伝導率の測定及び被測定液体の濃度検出、及び電気伝導率測定後の伝導度センサの洗浄にいたる液体濃度計測の一連の動作を、高い応答性及び計測精度を保持しかつ少ない作業工数で以って行ない得る液体濃度計測装置を提供することができる。
【図面の簡単な説明】
【００４８】
【図１】本発明の第１実施例に係る非定常液体の濃度計測装置の全体構成を示す概略側面図である。
【図２】前記第１実施例におけるサンプリング部を示し、（Ａ）は図１のＺ部詳細図、（Ｂ）は（Ａ）におけるＹ矢視図である。
【図３】本発明の第２実施例を示す図１対応図である。
【図４】前記第２実施例における図３のＷ矢視図である。
【図５】本発明の第３実施例を示す図１対応図である。
【図６】前記第３実施例における図５のＶ矢視図である。
【図７】本発明の第４実施例を示す図１対応図である。
【符号の説明】
【００４９】
１  回転容器
１ａ  液体室
２  回転装置
３  回転テーブル
４，４ａ，４ｂ，４ｃ  液体注入口
５  伝導率計
６，６ａ，６ｂ，６ｃ  伝導率センサ
７  洗浄槽
８  純水
９  センサ支持具
１０  センサ支持・移動装置
１２  移動装置
１５  伝導率計回動装置
１７，１７ａ，１７ｂ，１７ｃ  伝導率計支持アーム
１８  回動軸
２０ａ，２０ｂ，２０ｃ  切換弁
２１  回転軸
３１  純水供給ライン
３３  純水供給弁
【図１】
2006234563.tif 000003
【図２】
2006234563.tif 000004
【図３】
2006234563.tif 000005
【図４】
2006234563.tif 000006
【図５】
2006234563.tif 000007
【図６】
2006234563.tif 000008
【図７】
2006234563.tif 000009